(57)【要約】      （修正有）【課題】引き出したホースが当たって消火栓弁開閉レバーが閉位置に戻ってしまうことを確実に防止する。【解決手段】消火栓装置は筐体前面の扉開口部に開閉自在に装着した消火栓扉１８の内側に、消火栓弁を遠隔操作機構により開閉する消火栓弁開閉レバー６４を設け、消火栓扉１８を開いて筐体に収納したノズル付きホースを引き出して放水する。消火栓弁開閉レバーを消火栓弁の開位置に操作した状態に保持するロック機構を設ける。ロック機構は、消火栓弁開閉レバー６４を開位置に操作した時に、操作側カムプーリー８２の側面に形成したロック穴８６にロックピン９０が嵌合して消火栓弁開閉レバー６４の閉位置への戻りを阻止する。ロック解除は解除ノブ９６を引いてロックピン９０をロック穴８６から外す。【選択図】図６
2011156137.tif 000002
【特許請求の範囲】
【請求項１】
筐体前面の扉開口部に開閉自在に装着した消火栓扉の内側に、前記筐体に配置した消火栓弁を遠隔操作機構により開閉する消火栓弁開閉レバーを設け、前記消火栓扉を開いてノズル付きホースを引き出して放水する消火栓装置に於いて、
前記消火栓弁開閉レバーにより前記消火栓弁を開位置に操作した時に、前記消火栓弁開閉レバーを開位置に保持するロック機構を設けたことを特徴とする消火栓装置。
【請求項２】
請求項１記載の消火栓装置に於いて、
前記遠隔操作機構は、
前記消火栓弁開閉レバーにより閉位置と開位置の間で回動操作される操作側カムプーリーと、
前記消火栓弁の軸部に装着された弁側カムプーリーと、
前記操作側カムプーリーの操作回転を前記弁側カムプーリーに伝達して前記消火栓弁を開閉させるワイヤーと、
を備え、
前記ロック機構は、
前記操作側カムプーリーの側面に形成したロック穴と、
前記操作側カムプーリーを開位置に操作した時に相対する前記ロック穴に嵌合して前記消火栓弁開閉レバーの閉位置への戻りを阻止するロックピンと、
前記ロックピンを嵌合方向へ付勢するバネ部材と、
前記ロック穴に嵌合したロックピンを引き出し操作してロックを解除する解除操作部と、
を備えたことを特徴とする消火栓装置。
【請求項３】
請求項１記載の消火栓装置に於いて、
前記ロック機構は、
前記消火栓弁開閉レバーの途中に一端を軸支すると共に他端をフリー状態としたロックレバーと、
前記ロックレバーのフリー端を前記消火栓扉の内面側に押圧するバネ部材と、
前記ロックレバーの扉面側に形成したロック溝と、
前記消火栓弁開閉レバーを開位置に操作した時に前記ロックレバーに形成したロック溝の嵌合を受けて前記消火栓弁開閉レバーの開位置への戻りを阻止するロックピンと、
前記消火栓弁開閉レバーの開位置で前記ロックピンにロック溝が嵌合した前記ロックレバーを引き外し方向に操作してロックを解除する解除操作部と、
を備えたことを特徴とする消火栓装置。
【請求項４】
請求項１記載の消火栓装置に於いて、
前記ロック機構は、
前記消火栓弁開閉レバーの途中に設けられ、前記消火栓扉の内面側に向けて支持されたロックボールと、
前記消火栓弁開閉レバーを開位置に操作した時に前記ロックボールを係止して前記消火栓弁開閉レバーの開位置への戻りを阻止する回動自在なロックカムと、
前記ロックカムを前記ロックボールの係止方向に付勢するバネ部材と、
前記消火栓弁開閉レバーの開位置で前記ロックボールを係止したロックカムを引き外し方向に操作してロックを解除する解除操作部と、
を備えたことを特徴とする消火栓装置。
【発明の詳細な説明】
【技術分野】
【０００１】
本発明は、消火栓扉を開いて放水ノズル付きホースを引き出して放水する消火栓装置に関する。
【背景技術】
【０００２】
従来、自動車専用道路などのトンネル内には、火災発生時に備えて消火栓装置が設置されている。
【０００３】
図１０は従来の消火栓装置２００の正面図であり、図１１は消火栓装置２００の消火栓扉２０４を開いた状態の内部構造の平面図であり、図１２はその側面図である。消火栓装置２００の筐体２０２の前面には消火栓扉２０４と消火器扉２０６が設けられている。
【０００４】
消火栓扉２０４にはハンドルが設けられ、ハンドルを手前に引くことでロックを解除し、消火栓扉２０４の下側を回転軸に前方に開放することができる。また消火栓扉２０４と筐体２０２との間には緩衝用ダンパ２０８が設けられ、消火栓扉２０４を滑らかに開放できるようにしている。
【０００５】
筐体２０２のホース収納部にはホースバケット構造として、Ｕ字形に形成したフレームパイプ２１８が開口側に配置されている。フレームパイプ２１８の両側にはホースバケット２１６が取り付けられ、内部にホース収納空間を形成し、先端にノズル２１０を装着したホース２１２を筐体内のホースバケット２１６に内巻きして収納している。
【０００６】
ホース２１２はホースバケット２１６の側面板に開口した孔を通してホースバケット２１６内に収納される。その孔には、ホース２１２を引き出したときに、ホース２１２が擦れてホース表面が傷付くことを防ぐために、ホース２１２は保護管２１２ａの中を通ってホースバケット２１６内に入る。
【０００７】
このような消火栓装置２００は火災を伴う車両事故の発生時に、消火栓扉２０４を開いてノズル２１０付きのホース１１２を引き出し、扉内に設けている消火栓弁開閉レバー２１４を操作することで消火栓弁２２０を開き、同時に図示しないポンプ起動スイッチがレバー開位置でオンし、消火ポンプ設備を起動して放水を行うことができる。
【０００８】
また消火栓扉２０４の内側に逆Ｕ字型のパイプフレームなどを用いたホースガイド２２２を設け、ホース２１４の引っかかりを防ぐためホースガイド２２２を通してホース２１４を引き出すようにしている。
【０００９】
更に消火栓弁開閉レバー２１４の横にはレバーガード２１６が配置され、手前の開位置に操作した消火栓弁開閉レバー２１４に引き出したホース２１２が当たって閉位置に戻ってしまうことを防止している。
【００１０】
図１３は消火栓弁開閉レバー２１４による消火栓弁２２０の遠隔開閉機構を示している。消火栓弁２２０の弁軸にはプーリー２２４が装着され、また消火栓弁開閉レバー２１４はプーリー２２６を回動操作することができ、ワイヤー２２８の一端をプーリー２２６に固定した後、プーリー２２４に巻いて固定部２２６で固定し、再びプーリー２２６に戻して他端を固定している。
【００１１】
このため図示の閉位置にある消火栓弁開閉レバー２１４を手前側に引くように回動すると、ワイヤー２２８を解してプーリー２２４も回動し、消火栓弁２２０を開操作する。また、開操作した消火栓弁開閉レバー２１４を元に戻せば、消火栓弁２２０を閉操作できる。
【先行技術文献】
【特許文献】
【００１２】
【特許文献１】特開２００５−３１８９７２号公報
【発明の概要】
【発明が解決しようとする課題】
【００１３】
しかしながら、このような従来のトンネル消火栓装置にあっては、消火栓扉の内側にホースガイド２２２を設け、更に、消火栓弁開閉レバー２１４の横にレバーガード２１６を配置し、ホース２１２を右横方向に引き出すときにホース２１２が当たってレバーが戻ってしまうことを防止するようにしているが、レバーガード２１６の高さはレバー操作ができるようにハンドル部分より低い位置としなければならず、レバーガード２１６を超えてレバーのハンドル部分が飛び出しているため、その部分にホース２１２が当たって閉位置に戻ってしまう可能性がある。
【００１４】
またホースの引き出し円滑にするためにホースガイド２２２やレバーガード２１６を消火栓扉２０４の内側に配置しているため、消火栓扉２０４の構造が複雑化する。更に、消火栓扉２０４を閉鎖したときに、内側に飛び出しているホースガイド２２０やレバーガード２１６が筐体２０２内に収納できるように筐体２０２側にスペースを確保する必要があり、筐体２０２内に収納する機器の配置が制約されるという問題もある。
【００１５】
本発明は、引き出したホースが消火栓弁開閉レバーに当たって消火栓弁が閉位置に戻ってしまうことを確実に防止する構造を備えた消火栓装置を提供することを目的とする。
【課題を解決するための手段】
【００１６】
本発明は、筐体前面の扉開口部に開閉自在に装着した消火栓扉の内側に、筐体に配置した消火栓弁を遠隔操作機構により開閉する消火栓弁開閉レバーを設け、消火栓扉を開いてノズル付きホースを引き出して放水する消火栓装置に於いて、
消火栓弁開閉レバーにより消火栓弁を開位置に操作した時に、消火栓弁開閉レバーを開位置に保持するロック機構を設けたことを特徴とする。
【００１７】
ここで、遠隔操作機構は、
消火栓弁開閉レバーにより閉位置と開位置の間で回動操作される操作側カムプーリーと、
消火栓弁の軸部に装着された弁側カムプーリーと、
弁側カムプーリーの操作回転を弁側カムプーリーに伝達して消火栓弁を開閉させるワイヤーと、
を備え、
ロック機構は、
操作側カムプーリーの側面に形成したロック穴と、
操作側カムプーリーを開位置に操作した時に相対するロック穴に嵌合して消火栓弁開閉レバーの閉位置への戻りを阻止するロックピンと、
ロックピンを嵌合方向へ付勢するバネ部材と、
ロック穴に嵌合したロックピンを引き出し操作してロックを解除する解除操作部と、
を備える。
【００１８】
また、ロック機構は、
消火栓弁開閉レバーの途中に一端を軸支すると共に他端をフリー状態としたロックレバーと、
ロックレバーのフリー端を前記消火栓扉の内面側に押圧するバネ部材と、
ロックレバーの扉面側に形成したロック溝と、
消火栓弁開閉レバーを開位置に操作した時にロックレバーに形成したロック溝の嵌合を受けて消火栓弁開閉レバーの開位置への戻りを阻止するロックピンと、
消火栓弁開閉レバーの開位置でロックピンにロック溝が嵌合したロックレバーを引き外し方向に操作してロックを解除する解除操作部と、
で構成しても良い。
【００１９】
更に、ロック機構は、
消火栓弁開閉レバーの途中に設けられ、消火栓扉の内面側に向けて支持されたロックボールと、
消火栓弁開閉レバーを開位置に操作した時にロックボールを係止して消火栓弁開閉レバーの開位置への戻りを阻止する回動自在なロックカムと、
ロックカムをロックボールの係止方向に付勢するバネ部材と、
消火栓弁開閉レバーの開位置でロックボールを係止したロックカムを引き外し方向に操作してロックを解除する解除操作部と、
で構成しても良い。
【発明の効果】
【００２０】
本発明によれば、消火栓扉の内側に配置した消火栓弁開閉レバーを開位置に操作すると、開位置で消火栓弁開閉レバーが直接又は間接的にロックされ、筐体から引き出しているホースが消火栓弁開放レバーの部分を通ることで当たったとしても、消火栓弁開閉レバーが閉位置に戻ってしまうことを確実に防止することができる。
【図面の簡単な説明】
【００２１】
【図１】本発明による消火栓装置の実施形態を正面から示した説明図
【図２】図１について扉側を外して本体内部構造を示した正面図
【図３】図１について内部構造を示した平面図
【図４】図１について消火栓扉側を開いた状態を示した正面図
【図５】図４についてバルブ収納空間側の内部構造と共に消火栓弁開閉レバーに設けたロック機構の第１実施形態を示した左側面図
【図６】図５の消火栓扉を取り出してロック機構を示した説明図
【図７】図６のロック機構の詳細を拡大して示した説明図
【図８】消火栓弁開閉レバーに設けたロック機構の第２実施形態を示した説明図
【図９】消火栓弁開閉レバーに設けたロック機構の第３実施形態を示した説明図
【図１０】従来の消火栓装置の扉を外して内部構造を示した正面図
【図１１】従来の消火栓装置の扉を開放して内部構造を示した平面図
【図１２】従来の消火栓装置の扉を開放して内部構造を示した側面図
【図１３】従来の消火栓装置における消火栓弁遠隔操作機構を示した側面図
【発明を実施するための形態】
【００２２】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１，１２−２に対し必要な機器及び部材を組付けた後に連結固定部材で筐体側面同士を固定した状態とし、この状態でトンネル現場に搬入して架台１１上に設置している。
【００２３】
化粧板１４−１，１４−２には扉開口部１６，１７が設けられている。筐体１２−１の扉開口部１６には、消火栓扉１８と保守扉２２が設けられており、その内部がホース収納空間及びバルブ類収納空間となっている。
【００２４】
消火栓扉１８は、扉開口部１６に対し下側の軸となる回転軸２１を中心に下向きに開閉自在に設けられており、マグネットと受け板を用いたロック機構により閉止位置に閉じている。消火栓扉１８は、ハンドル２０を手前に引いてロック機構の磁気吸着ロックを外すことで前方に開閉することができる。
【００２５】
扉開口部１６は内部のホース収納空間に形成されたホース取出口に相対して筐体全部の略中央に形成され、扉下部の回転軸２１による消火栓扉１８の軸支による回動支持で下向きに開放した場合、消火栓扉１８は斜め下向きの開放位置に開放される。
【００２６】
消火栓扉１８の上には扉上端側に回動軸を有し上方前向きに開閉する保守扉２２が設けられており、マグネットと受け板を用いたロック機構により磁気吸着により閉止位置に保持されており、点検時に消火栓扉１８を開放した後に保守扉２２の下端を手前に引くことで開くことができる。
【００２７】
筐体１２−２の扉開口部１７の右側には通報装置扉２４が設けられ、ここに赤色表示灯２６、発信機２８、及び応答ランプ３０を設けている。なお、通報装置扉２４の内側には図２に示すように電話ジャック３１を設けている。
【００２８】
赤色表示灯２６は常時点灯し、消火栓装置１０の設置場所が遠方から分かるようにしている。火災時には、発信機２８を押してスイッチボタンをオンすると、発信信号が監視室の火災受信機に送信されて火災警報が出され、これに伴い応答信号が火災受信機から送られて、応答ランプ３０を点灯するようにしている。
【００２９】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとラッチが外れ、消火器扉３２は左側を回転軸として前方に開くことができる。また、消火器扉３４の下側には覗き窓３５が設けられ、外部から消火器の収納状態の有無を確認できるようにしている。
【００３０】
図２は図１の実施形態について筐体１２−１側の消火栓扉を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００３１】
図２において、筐体１２−１の左側にはホース収納空間３６が形成され、右側にバルブ類収納空間３８を形成している。ホース収納空間３６には、その周囲を囲んでホース４４を押えるホースバケット構造４０が設けられている。
【００３２】
ホースバケット構造４０は、横２本、縦２本のフレームの組み合わせており、扉開口部１６の左右方向における略中央となる位置にホース取出口４２を仕切り形成している。ホース取出口４２の下側には張出ホースガイド４６が設けられ、ホース４４を左方向に引き出す際の急激な折れ曲がりを緩和して滑らかな引き出しを可能とする。
【００３３】
ホースバケット構造４０及び筐体内壁で囲まれたホース収納空間３６にはホース４４が内巻きして収納されている。ここで、右側のバルブ類収納空間３８の下部にはホース接続口４８が配置されており、ホース接続口４８にホース４４の１次側を接続した後、ホース４４をホース収納空間３６に巻き込むことになるが、この場合のホース４４の巻き込みは、扉開口部１６から見て右巻きとなるように巻き込んでいる。
【００３４】
即ち、ホース接続口４８に接続したホース４４は、まず筐体１２−１の下側内壁に沿うようにホース収納空間３６方向に向かい、ホース収納空間３６の下側から巻き込まれ、その後に、右回りに収納空間内に巻き込まれ、最後にノズルを装着したホース先端を扉開口部１６の中央付近に形成されたホース取出口４２から取り出している。
【００３５】
筐体１２−１に設けたホース収納空間３６の右側に配置したバルブ類収納空間３８には、ポンプ設備からの配管が接続される消火栓接続口５０からホース接続口４８に至る配管系統に、給水弁５２、消火栓弁５４、自動調圧弁５6、自動排水弁（図示せず）、及びメンテナンス装置５８（図５参照）を設けている。このうち消火栓弁５４の横には機器ボックス７４が配置され、消火栓扉の内側に配置される消火栓弁開閉レバーにより遠隔的に消火栓弁５４を開閉操作できるようにしている。なお、機器ボックス７４の詳細は後の説明で明らかにする。
【００３６】
また給水弁５２の手前にはポンプ起動スイッチ６２が配置される。給水弁５２及びポンプ起動スイッチ６２は消防隊が消火時に操作する機器であり、消火栓扉１８を開いても保守扉２２により隠されており、消火栓装置を操作しようとするユーザに見せないことで、不要な混乱を起させないようにしている。
【００３７】
図３は、図１について内部構造を示した平面図である。図３において、筐体１２−１、１２−２は連結固定部１５においてボルトにより固定されている。筐体１２−１のホース収納空間３６には平面から見て横Ｌ字形にホースバケット構造４０が配置され、筐体内壁との間に形成したホース収納空間３６にホース４４を右巻きにより内巻き状態で収納している。また、消火器収納空間３９には２本の消火器３７が収納されている。
【００３８】
ホースバケット構造４０の中に図２のように仕切り形成したホース取出口４２の下側には、張出ホースガイド４６が設けられており、張出ホースガイド４６はその内側にホース４４の外径に略相当する幅の張出スペースを確保している。勿論、張出ホースガイド４６の張出し量は、消火栓扉１８を閉鎖したときに当らない位置となるように前方に張り出しており、ホース１本が少なくとも入る幅を有するとよりよい。
【００３９】
ホースバケット構造４０に設けた上部の横フレーム部材にはゴムブッシュなどのホース滑り止め部材６６が装着されてホース収納空間３６内でのホースの収納状態を維持する。
【００４０】
図４は図１の消火栓装置１０における消火栓扉１８を開いた状態を示した正面図である。図１の消火栓扉１８に設けたハンドル２０を手前に引いてロックを外すと、消火栓扉１８は斜め下向きとなる位置に開放する。消火栓扉１８の内側には操作ボックス７２が配置され、前後に回動操作可能な消火栓弁開閉レバー６４を設けている。消火栓弁開閉レバー６４は図示の閉位置から手前下側の開位置に操作すると内蔵したロック機構によりロックされる。ロック解除は横に設けている解除ノブ９６を引いて行う。
【００４１】
また消火栓扉１８の内部左側のホルダー６８にはホース先端に装着したノズル４５が着脱自在に保持されている。
【００４２】
図５は、図４のバルブ収納空間側の内部構造と共に本発明における消火栓弁開閉レバーに設けたロック機構の第１実施形態を示した左側面図であり、消火栓扉１８及び保守扉２２を開いた状態で示している。
【００４３】
消火栓扉１８は斜め下向きに開放し、扉内側に操作ボックス７２を配置し、操作ボックス７２に消火栓弁開閉レバー６４を前後方向に回動自在に配置し、図示の奥行き方向に回動した位置を閉位置とし、６４ａで示す前方に回動した位置を開位置としている。
【００４４】
消火栓弁５４の横に設けた機器ボックス７４内には、弁側のカムプーリー７６が消火栓弁５４の弁軸に固定されており、カムプーリー７６には２本のワイヤーチューブ８０ａ，８０ｂ内を通して引き出したワイヤー７８ａ，７８ｂが掛け回され、固定部８１ａ，８１ｂによりカムプーリー７６に固定している。
【００４５】
ワイヤー７８ａ，７８ｂは操作ボックス７２内に設けた操作側のカムプーリー８２と機器ボックス７２内のカムプーリー７６を連結し、フレキシブルな４リンク機構に相当するワイヤー４リンク機構を構成し、消火栓弁開閉レバー６４を開位置に回動操作すると、カムプーリー８２の回転がワイヤー７８ａ，７８ｂを介してカムプーリー７６に伝達され、消火栓弁５４が開いて消火用水をホース側に供給して放水することができる。
【００４６】
なお、消火栓弁５４のレバー８２を開位置に操作すると、図示しないポンプ起動スイッチがオンし、ホンプ制御盤にポンプ起動信号を送ってポンプを運転して加圧消火用水が供給される。
【００４７】
図６は図５の消火栓扉を取り出して消火栓弁開閉レバーのロック機構を示した説明図であり、図７にロック機構の詳細を拡大して示す。なお、図６（Ａ）は左側面、図６（Ｂ）は正面、図６（Ｃ）は右側面であり、また図７（Ａ）は操作ボックス内の正面拡大、図７（Ｂ）は操作内のボックスの右側面を示している。
【００４８】
操作ボックス７２内には操作側のカムプーリー８２が軸８４により回動自在に支持され、軸８４には消火栓弁開閉レバー６４の下端が固定され、操作ボックス７２の開口８５から取り出されている。カムプーリー８２には消火栓弁５４側のカムプーリー７６からのワイヤ７８ａ，７８ｂが巻き込まれ、固定部８８ａ，８８ｂで固定している。
【００４９】
カムプーリー８２の左側の側面には円弧状のガイド溝８４が形成され、ガイド溝８４の一端にロック穴８６を形成している。
【００５０】
カムプーリー８２のガイド溝８４及びロック穴８６に相対した操作ボックス７２の側面には図７（Ａ）に示すようにケース９２が固定され、ケース９２の中にバネ９４を介してロックピン９０をプーリー８２を押圧するように組込み、ロックピン９０の外側はキャップ９４を通して取り出され、そこに解除操作部を構成する解除ノブ９６を取り付けている。
【００５１】
ロックピン９０は図示の消火栓弁開閉レバー６４の閉位置でガイド溝９６の一端に先端を当接しており、消火栓弁開閉レバー６４を開位置に操作すると、カムプーリー８２の回転でロック穴８６がロックピン９０に相対する位置に回転した時、バネ９４による押圧を受けてロック穴８６にロックピン９０が嵌合し、消火栓弁開閉レバー６４を開位置に保持する。
【００５２】
消火栓弁開閉レバー６４を６４ａで示す開位置に操作した状態で、筐体１２−１からホース４４を例えば右側に引き出した時、ホース４４が消火栓弁開閉レバー６４に当たるが、消火栓弁開閉レバー６４は開位置でロックされており、このためホースの当たりによる閉位置への戻りを確実に防止できる。
【００５３】
開位置にロックされた消火栓弁開閉レバー６４のロック解除は、操作ボックス７２の左側に設けている解除ノブ９６をバネ９４に抗して外部に引くことで、ロックピン９０がロック穴９０から抜け出してロックが解除され、消火栓弁開閉レバー６４を元の閉位置に戻す操作ができる。
【００５４】
図８は本発明の消火栓弁開閉レバーに設けたロック機構の第２実施形態を示した説明図であり、図８（Ａ）にレバー閉位置を示し、図８（Ｂ）にレバー開位置を示している。
【００５５】
操作ボックス７２内には操作側のカムプーリー８２が軸８４により回動自在に支持され、軸８４には消火栓弁開閉レバー６４の下端が固定され、操作ボックス７２の開口１０５から取り出されている。カムプーリー８２には図５に示した消火栓弁５４側のカムプーリー７６からのワイヤ７―８ａ，７８ｂが巻き込まれ、固定部８８ａ，８８ｂで固定している。
【００５６】
消火栓弁開閉レバー６４の途中には軸１００によりロックレバー９８の一端が軸支され、ロックレバー９８の他端はフリー状態としている。軸１００の部分にはバネ１０２が装着され、ロックレバー９８のフリー端を消火栓扉１８の内面側に押圧している。
【００５７】
ロックレバー９８の扉面側にはロック溝１０４が形成される。ロック溝１０４に対しては固定側となる操作ボックス７２側にロックピン１０６が横向きに固定される。
【００５８】
図８（Ａ）の消火栓弁開閉レバー６４の閉位置から手前に回動操作することで図８（Ｂ）に６４ａとして示す開位置に操作すると、この消火栓弁開閉レバー６４の操作に伴いロックレバー９８が前方に移動してロック溝１０４がロックピン１０６に嵌合してロックする。
【００５９】
このため消火栓弁開閉レバー６４を開位置に操作した状態で、筐体１２−１からホース４４を例えば右側に引き出した時、ホース４４が消火栓弁開閉レバー６４に当たるが、消火栓弁開閉レバー６４は開位置でロックされており、このためホースの当たりによる閉位置への戻りを確実に防止できる。
【００６０】
開位置にロックされた消火栓弁開閉レバー６４のロック解除は、操作ボックス７２の上部に設けている解除ノブ１１０を外して引くと、ワイヤで連結されたロックレバー９８が上方に引かれ、ロック溝１０４をロックピン１０６から外すことでロックが解除され、消火栓弁開閉レバー６４を元の閉位置に戻す操作ができる。
【００６１】
図９は本発明の消火栓弁開閉レバーに設けたロック機構の第３実施形態を示した説明図であり、図９（Ａ）にレバー閉位置を示し、図９（Ｂ）にレバー開位置を示している。
【００６２】
操作ボックス７２内には操作側のカムプーリー８２が軸８４により回動自在に支持され、軸８４には消火栓弁開閉レバー６４の下端が固定され、操作ボックス７２の開口１２５から取り出されている。カムプーリー８２には図５に示した消火栓弁５４側のカムプーリー７６からのワイヤー７８ａ，７８ｂが巻き込まれ、固定部８８ａ，８８ｂで固定している。
【００６３】
消火栓弁開閉レバー６４の途中にはロックボール１１２がレバーに直交して開位置で下向きとなる方向に支持されている。消火栓弁開閉レバー６４を開位置に操作した時にロックボール１１２に相対する位置にロックカム１１４を設けている。
【００６４】
ロックカム１１４は固定部１２０に軸１１６により回動自在に支持され、バネ１１８により左回りに付勢され、固定部材１２０から横に切り起したストッパ部１２１に当接し、この位置で斜め上向となるロック溝１１５を形成している。
【００６５】
またロックカム１１４の下部横方向には解除レバー部１２２が屈曲形成され、解除レバー部１２２は操作ボックス７２の横に形成した開口１２４から取り出され、外部から操作可能としている。
【００６６】
図９（Ａ）に示すように、消火栓弁開閉レバー６４を図示の閉位置から矢印で示すように開位置に操作すると、消火栓弁開閉レバー６４の途中に支持しているロックボール１１２がロックカム１１４のロック溝１１５に入り込み、図９（Ｂ）に示す開位置でロック溝１１５の中にロックボール１１２が係止され、消火栓弁開閉レバー６４をロックする。
【００６７】
このため消火栓弁開閉レバー６４を開位置に操作した状態で、筐体１２−１からホース４４を例えば右側に引き出した時、ホース４４が消火栓弁開閉レバー６４に当たるが、消火栓弁開閉レバー６４は開位置でロックされており、このためホースの当たりによる閉位置への戻りを確実に防止できる。
【００６８】
開位置にロックされた消火栓弁開閉レバー６４のロック解除は、操作ボックス７２の横に設けた開口１２４から外部に突出している解除レバー部１２２を下向きに押すと、ロックカム１１４が下向きに回動してロック溝１２４がロックボール１１２から引き外されてロックが解除され、消火栓弁開閉レバー６４を元の閉位置に戻す操作ができる。
【００６９】
なお、上記の実施形態は斜め下向きに開放する消火栓扉の内側に消火栓弁開閉レバーを設けた場合を例にとっているが、図１１及び図１２に示した従来例と同様、消火栓扉を水平位置に開放する構造の消火栓装置についても、そのまま適用することができる。
【００７０】
また上記の実施形態は箱形構造をもつ操作ボックスに消火栓弁開閉レバーを設けた場合を例にとっているが、操作ボックスの代りに、カムプーリーの外側を覆うようなカバーを設けた場合についても、そのまま適用できる。
【００７１】
また図４に示したように、ノズル４５を消火栓扉１８の内側のホルダーに装着しているが、ホースバケット構造４０における右側のプレートの部分にホルダーを設け、ここに横向きにノズル４５を配置しても良い。
【００７２】
また、上記の実施形態にあっては、筐体を消火栓側と消火器側とに分割した場合を例にとっているが、一体型の筐体構造についても、同様に上記の実施形態のホース取出口を扉開口部の略中央に配置したホースバケット構造を適用することができる。
【００７３】
また、ホース収納空間３６とバルブ収納空間３８は逆に配置されても良い。
【００７４】
また本発明は、その目的と利点を損なうことのない適宜の変形を含み、更に上記の実施形態に示した数値による限定は受けない。
【符号の説明】
【００７５】
１０：消火栓装置
１２−１，１２−２：筐体
１８：消火栓扉
６４：消火栓弁開閉レバー
６５：ハンドル
７６，８２：カムプーリー
７８ａ，７８ｂ：ワイヤー
８０ａ，８０ｂ：ワイヤーチューブ
８８：ロック穴
９０，１０６：ロックピン
９４，１０２，１１８：バネ
９６：解除ノブ
９８：ロックレバー
１０４：ロック溝
１１２：ロックボール
１１４：ロックカム
１１５：カム溝
１２２：解除レバー部
【図１】
2011156137.tif 000003
【図２】
2011156137.tif 000004
【図３】
2011156137.tif 000005
【図４】
2011156137.tif 000006
【図５】
2011156137.tif 000007
【図６】
2011156137.tif 000008
【図７】
2011156137.tif 000009
【図８】
2011156137.tif 000010
【図９】
2011156137.tif 000011
【図１０】
2011156137.tif 000012
【図１１】
2011156137.tif 000013
【図１２】
2011156137.tif 000014
【図１３】
2011156137.tif 000015